(57)【要約】本発明による悪臭及び逆流防止用排水案内装置は、上部の一側に流体が流入される流入口及び下部の一側に前記流体が排出される排出口が形成され、前記流体を収容する収容部及び前記収容部の前記排出口に設けられる排水誘導部を含む。
2018519447.tif 000002
【特許請求の範囲】
【請求項１】
上部の一側に流体が流入される流入口及び下部の一側に前記流体が排出される排出口が形成され、前記流体を収容する収容部；及び
前記収容部の前記排出口に設けられる排水誘導部；
を含む、排水案内装置。
【請求項２】
前記収容部は、前記排出口が前記流入口と比べて相対的に狭く形成されている、請求項１に記載の排水案内装置。
【請求項３】
前記収容部は、前記流体の排出が容易であるように外側から内側へ行くほど下方に傾くように形成されている、請求項１に記載の排水案内装置。
【請求項４】
前記収容部の前記流入口の一側には、さらにカバーが設けられている、請求項１に記載の排水案内装置。
【請求項５】
前記カバーの下面の一側には、前記流体が前記流入口に流入されるように、前記カバーが前記流入口から離隔されるように支持する第１支持部が設けられている、請求項４に記載の排水案内装置。
【請求項６】
前記カバーの下面の一側には、前記流体が前記流入口に流入されるように、前記カバーを前記流入口から離隔されるように設けられ、前記排水誘導部と結合される第２支持部がさらに設けられている、請求項４に記載の排水案内装置。
【請求項７】
前記第２支持部は、前記カバー及び前記排水誘導部のうち、少なくとも何れか一つと一体に形成されている、請求項６に記載の排水案内装置。
【請求項８】
前記カバーの一側には、前記流体が流動することができる複数の溝が形成されている、請求項４に記載の排水案内装置。
【請求項９】
前記排水誘導部は、
前記排出口に結合され、前記流体が流動できる排水孔が形成されたボディー部；
前記ボディー部の下面の一側に下方に突出するように設けられる排水誘導棒；及び
前記排水誘導棒を包むように設けられ、前記流体の流動の可否によって密着または開かれるように設けられる排水案内面；
を含む、請求項１に記載の排水案内装置。
【請求項１０】
前記排水誘導棒の外周面の一側には、排水案内部が形成されている、請求項９に記載の排水案内装置。
【請求項１１】
前記排水案内部は、前記流体が流動できるように、前記排水誘導棒の外周面の一側に前記排水誘導棒の長手方向に沿って溝形状に形成されている、請求項１０に記載の排水案内装置。
【請求項１２】
前記排水案内部は、前記流体が流動できるように、前記排水誘導棒の外周面の一側に流線型の溝に形成されている、請求項１０に記載の排水案内装置。
【請求項１３】
前記排水案内面は、相互に対向するように一対からなり、相互に対向する一面の上部の一側にはエンボス処理による凸部が形成されている、請求項９に記載の排水案内装置。
【請求項１４】
前記排水誘導部は前記ボディー部に結合され、前記排水案内面が挿入できるハウジングをさらに備えている、請求項９に記載の排水案内装置。
【発明の詳細な説明】
【技術分野】
【０００１】
本発明は、悪臭及び逆流防止用排水案内装置に係り、より詳しくは、小便器、流し台、またはトイレの床などの排水口に設けられて汚水を迅速に排出すると同時に、悪臭、下水、または虫などが排水口を通じて逆流することを防ぐための悪臭及び逆流防止用排水案内装置に関するものである。
【背景技術】
【０００２】
衛生法規上、排水管から発生する悪臭またはガスを密閉したり、封じなければならないと規定されている。トイレの壁面に設けられる小便器は、使用者が用便をする時、小便と水がともに排水管を通じて排出されると同時に、排水管の上端部に残っている水によって悪臭の逆流を防げなければならない。
【０００３】
しかしながら、従来の小便器においては、小便を洗浄するために大量の水が使われるため、水資源が枯渇する問題点があり、水の消費によって維持費用が増加する問題点がある。また、悪臭の逆流を防止するために、排水管に残留する水に含まれている小便によって微少な悪臭が持続的に発生する問題点がある。
【０００４】
このような問題点を解決するために、韓国公開特許第１０-２００５-００８４２７８号に流体制御弁が公開されている。ここでは、支持トラフ状セクション内の下端部で終わる可撓性弾性物質の平たいストリームを有する構成要素と、ストリップの端部を密封することができる表面を提供する構成とによって、一方向にだけ流体の流れを許容し、悪臭または下水が逆流する従来の問題点を解決することができる。しかしながら、ストリップの弾性不足によって復元されない場合、小便の流速が遅くて悪臭の発生原因を提供し、悪臭の逆流を遮断しにくい問題点がある。
【０００５】
また、ストリップで排水される小便のタンパク質がストリップの表面に吸着されて発生するスラッジとスケール及び尿石によってストリップの開閉機能が喪失し、悪臭の逆流を遮断し難い問題点がある。
【０００６】
このような従来技術の問題点を解決するために、本出願人は、２０１２年３月１３日付けで出願して登録を受けた韓国特許第１０-１１６６５５３号に記載された無水小便器を通じて前述の問題点を解決した。
【０００７】
図１は、従来の無水小便器の使用態様を示す断面図である。図２は、従来の無水小便器が適用された小便器の使用態様を示す斜視図である。図１及び図２に図示されるように、従来の無水小便器４００を小便器５００に適用して使用する場合に従来の問題点を解決することができるが、学校、高速道路のトイレなどのように、短い時間内に多くの使用者が使う小便器５００に適用する場合は次のような問題点があった。
【０００８】
一般的に一人の使用者が排出する平均小便量は、約３００ｍｌないし４００ｍｌである。一人の使用者が小便器５００を使った後、次の使用者がいない場合は、従来の無水小便器４００が充分に小便器５００の内部の小便Ｌを排出することができる。しかしながら、多くの使用者が連続的に小便器５００を使う場合は、図１に図示されるように、無水小便器４００の排出量が小便器５００内に流入される小便Ｌの流入量に追いつくことができず、小便器５００の内部に先の使用者の小便Ｌが残っているような問題点がある。
【０００９】
かかる場合、次の使用者は、小便器５００の状態が非衛生的であると判断して小便器５００の使用を避けるようになり、小便器５００を使ったとしても、小便器５００の内部に残留した小便Ｌが外部へ飛び散って非衛生的であるという問題点がある。
【先行技術文献】
【特許文献】
【００１０】
【特許文献１】韓国登録特許第１０-１１６６５５３号(２０１２年７月１９日公告)
【発明の概要】
【発明が解決しようとする課題】
【００１１】
本発明は、従来の問題点を解決するためのものであって、小便器、流し台、またはトイレの底などの排水口に備えられて汚水を迅速に排出すると同時に、悪臭、下水、または虫などが排水口を通じて逆流することを防止するための悪臭及び逆流防止用排水案内装置を提供することにその目的がある。
【００１２】
なお、本発明の目的はこれに制限されず、言及されていない他の目的が以下の記載から当業者には明確に理解できるであろう。
【課題を解決するための手段】
【００１３】
前記のような本発明の目的を達成するため、悪臭及び逆流防止用排水案内装置は、上部の一側に流体が流入される流入口及び下部の一側に前記流体が排出される排出口が形成され、前記流体を収容する収容部及び前記収容部の前記排出口に設けられる排水誘導部を含む。
【００１４】
このとき、前記収容部は、前記排出口が前記流入口と比べて相対的に狭く形成されることができる。
【００１５】
また、前記収容部は、前記流体の排出が容易であるように外側から内側へ行くほど下方に傾くように形成されることができる。
【００１６】
また、前記収容部の前記流入口の一側には、カバーがさらに設けられることができる。
【００１７】
また、前記カバーの下面の一側には、前記流体が前記流入口に流入されるように、前記カバーが前記流入口から離隔されるように支持する第１支持部が設けられることができる。
【００１８】
また、前記カバーの下面の一側には、前記流体が前記流入口に流入されるように、前記カバーを前記流入口から離隔されるように設けられ、前記排水誘導部と結合される第２支持部がさらに設けられることができる。
【００１９】
また、前記第２支持部は、前記カバー及び前記排水誘導部のうち、少なくとも何れか一つと一体に形成されることができる。
【００２０】
また、前記カバーの一側には、前記流体が流動できる複数の溝が形成されることができる。
【００２１】
また、前記排水誘導部は、前記排出口に結合され、前記流体が流動できる排水孔が形成されたボディー部、前記ボディー部の下面の一側に下方に突出するように設けられる排水誘導棒、及び前記排水誘導棒を包むように設けられ、前記流体の流動の可否によって密着または開かれるように設けられる排水案内面を含むことができる。
【００２２】
また、前記排水誘導棒の外周面の一側には、排水案内部が形成されることができる。
【００２３】
また、前記排水案内部は、前記流体が流動できるように、前記排水誘導棒の外周面の一側に前記排水誘導棒の長手方向に沿って溝形状に形成されることができる。
【００２４】
また、前記排水案内部は、前記流体が流動できるように、前記排水誘導棒の外周面の一側に流線型の溝に形成されることができる。
【００２５】
また、前記排水案内面は、相互に対向するように一対からなり、相互に対向する一面の上部の一側にはエンボス処理による凸部が形成されることができる。
【００２６】
また、前記排水誘導部は前記ボディー部に結合され、前記排水案内面が挿入できるハウジングをさらに備えることができる。
【発明の効果】
【００２７】
本発明の悪臭及び逆流防止用排水案内装置は次のような効果がある。
【００２８】
第一、多数の利用者が連続的に使って排水速度以上の速度で多くの量の流体が流入されても残留流体は収容部の内部に流入され、使用者に露出されないため衛生的な使用が可能な効果がある。
【００２９】
第二、収容部の内部に流入された残留流体は、カバーによって使用者の視覚に露出されることを防止し、残留流体が外部へ飛び散ることを防ぐことができる効果がある。
【００３０】
第三、小便器または流し台などに比べて相対的に狭い面積を有する収容部の内部に流体を溜めることで、収容部の内部に流体の重量による単位面積当たり圧力が小便器または流し台の圧力と比べて相対的に増加することで流体の排出速度を向上させることができる効果がある。
【００３１】
第四、排水誘導棒に備えられる排水案内部及び排水案内面に形成される凸部を通じて流体をより迅速に排出できる効果がある。
【００３２】
第五、排水案内面の迅速な拡張によって流体の迅速な排出及び悪臭逆流遮断がし易い効果がある。
【００３３】
第六、カバー及び排水誘導部を一体に形成し、カバー分離時に排水誘導部が一緒に分離され排水誘導部の洗浄、補修及び取り替えが易い効果がある。
【００３４】
本発明の効果は前記言及した効果に制限されず、言及されていない他の効果は請求範囲の記載から当業者に明確に理解されることができる。
【図面の簡単な説明】
【００３５】
本明細書に添付される次の図面は、本発明の好ましい実施例を例示するものであり、発明の詳細な説明とともに本発明の技術思想をさらに理解させる役割をするので、本発明はそのような図面に記載された事項にだけ限定されて解釈されてはいけない。
【図１】従来の無水小便器の使用態様を示す断面図。
【図２】従来の無水小便器が適用された小便器の使用態様を示す斜視図。
【図３】本発明による排水案内装置の斜視図。
【図４】本発明による排水案内装置の分解斜視図。
【図５】本発明による排水案内装置の縦方向断面図。
【図６】本発明の変形例による収容部の縦方向断面図。
【図７ａ】本発明による排水誘導棒の多様な実施例を示す図。
【図７ｂ】本発明による排水誘導棒の多様な実施例を示す図。
【図７ｃ】本発明による排水誘導棒の多様な実施例を示す図。
【図７ｄ】本発明による排水誘導棒の多様な実施例を示す図。
【図８】本発明の変形例による排水案内面の側面図。
【図９】図８のＡ−Ａ断面図。
【図１０】本発明の変形例によるカバーを適用した排水案内装置の縦方向断面図。
【図１１】本発明による排水案内装置の流体の流れを示す断面図。
【図１２】本発明による排水案内装置の使用態様を示す断面図。
【発明を実施するための形態】
【００３６】
以下、添付された図面を参照して本発明の好ましい実施例を詳細に説明する。
【００３７】
（排水案内装置の構成）
本発明による排水案内装置１０は、小便器５００、流し台、または浴室の底などに備えられ、汚水などの流体Ｌを排水する排水口の内部に挿入されるように備えられ、汚水などの流体Ｌは排出して排水管へ流入させ、排水管から逆流する悪臭または下水、虫の流入を遮断する装置である。このような排水案内装置１０は、小便器５００、流し台、または浴室の底など、流体Ｌが排出される場所なら、如何なる場所に備えられても構わないが、本発明では説明の便宜のために、小便器５００に設けられているものを中心にして説明する。
【００３８】
図３は、本発明による排水案内装置の斜視図である、図４は、本発明による排水案内装置の分解斜視図である。図５は、本発明による排水案内装置の縦方向断面図である。本発明による排水案内装置１０は、図３ないし図５に図示されるように、大きく、収容部１００、排水誘導部２００、及びカバー３００で構成される。
【００３９】
収容部１００は、小便器５００の流体Ｌを排水する排水口の内部に挿入されて所定量の流体Ｌを収容し、排水誘導部２００が結合されることができる空間を提供する装置である。このような収容部１００は、内部に所定量の流体Ｌが流入されて収容できるように中空の柱状からなり、上部の一側に流体Ｌが流入される流入口及び下部の一側に流体Ｌが排出される排出口がそれぞれ開口するように形成される。流入口及び排出口は使用態様によって多様な大きさで形成されることができるが、好ましくは収容部１００の上面を全体的に開口させて流入口として用い、収容部１００の下面を全体的に開口させて排出口として用いた方がよい。
【００４０】
また、収容部１００は、排出口が流入口と比べて相対的に狭く形成された方がよい。より好ましくは、図４に図示されるように、流体Ｌの排出が容易であるように中心部または下部の一側が外側から内側へ行くほど下方に傾くように形成された方がよい。
【００４１】
図６は、本発明の変形例による収容部の縦方向断面図である。また、使用態様に応じて、収容部１００は、図６に図示されるように、中心の一側に段差１１０ができるように形成され、段差１１０は外側から内側へ行くほど下方に傾くように形成されている。このように、段差１１０を基準にして収容部１００の下部が上部と比べて相対的に直径が小さく形成されることで、収容部１００の内部に流入される流体Ｌが下部において単位面積に対する圧力が向上されて排水誘導部２００をより迅速に通過するようになり、小便Ｌなどの汚水が迅速に排水管へ排出されることができる。
【００４２】
排水誘導部２００は、収容部１００の排出口に設けられ、収容部１００の内部に流入されて臨時に収容中である流体Ｌを排水管へ排出し、排水管から逆流する悪臭または下水、及び排水管を通じて流入される虫の侵入を防止する装置である。このような目的を達成できる装置であれば、如何なる装置を使っても構わないが、一実施例による排水誘導部２００をより詳細に説明すれば次の通りである。
【００４３】
一実施例による排水誘導部２００は、図４及び図５に図示されるように、大きく、ボディー部２１０、排水誘導棒２２０、排水案内面２３０、及びハウジングで構成されている。
【００４４】
ボディー部２１０は、収容部１００の排出口と対応される面積を有する板状部材からなる。ボディー部２１０の一側には、流体Ｌが流動できる少なくとも一つ以上の排水孔２１１が形成されている。このとき、排水孔２１１は、複数設けられることができ、好ましくはボディー部２１０の中心を基準にして放射状に等間隔で複数設けられることができる。また、ボディー部２１０の外周面にオーリング(O-Ring)を設けて、ボディー部２１０の外周面と収容部１００の排出口の内周面とが密着するようにして、ボディー部２１０と収容部１００の排出口との間の接触面に流体Ｌまたは悪臭が流動することを防止してもよい。本明細書では、ボディー部２１０が収容部１００の排出口に嵌め合い方式を通じて結合されることを基準にして図示しているが、使用態様によって、ねじ結合方式によっても結合されることができることは自明である。
【００４５】
また、ボディー部２１０の上面には、外側へ拡張された拡張部２１２がさらに形成されている。これにより、排水誘導部２００が収容部１００の排出口から離脱されることを防止することができる。
【００４６】
排水誘導棒２２０は、ボディー部２１０の下面の一側で下方に突出するように形成され、ボディー部２１０の排水孔２１１を通じて流入された流体Ｌが排水誘導棒２２０の外周面に沿って流れるようにするとともに、排水案内面２３０が相互摩擦によって膨脹が遅延されることを防止する装置である。このような排水誘導棒２２０は、ボディー部２１０の下面の一側、好ましくは中心の一側に形成された方がよい。このとき、排水誘導棒２２０は、上部から下部へ行くほど次第に狭く形成される角状からなった方がよい。
【００４７】
図７は、本発明による排水誘導棒の多様な実施例を示す図である。排水誘導棒２２０の外周面には、図７に図示されるように、流体Ｌの流れをもっと容易に且つ、迅速に誘導するための排水案内部２２１がさらに形成されることができる。このような排水案内部２２１は、排水誘導棒２２０の外周面に陰刻または陽刻で形成され、排水案内部２２１に沿って流体Ｌが迅速に流動するように誘導し、これによって排水案内面２３０が迅速に拡張されるようにする。排水誘導棒２２０に形成される排水案内部２２１は多様な形状からなることができ、これについて図面を参照してより詳細に説明すれば次の通りである。
【００４８】
先ず、排水案内部２２１は、一実施例として図７ａに図示されるように、排水誘導棒２２０の長手方向に沿って形成されることができる。このような排水案内部２２１は、排水誘導棒２２０の長手方向の中心を基準にして放射状に等間隔で離隔されるように複数設けられることができる。このとき、排水案内部２２１は、図７ｂに図示されるように、溝形状に形成されることができ、図７ｃに図示されるように、排水誘導棒２２０の長手方向の中心を基準にして相互に対向配置される排水案内面２３０を貫くように形成されることができる。ここで、排水案内部２２１は、溝または貫通される陰刻で形成されることを基準にして図示及び説明しているが、使用態様によっては排水案内部２２１が突出される陽刻で形成されることもあることは明らかである。
【００４９】
他の実施例として、排水案内部２２１は、図７ｄに図示されるように、排水誘導棒２２０の外周面の一側に流線型に形成されることができる。このように、排水案内部２２１が流線型に形成される場合もまた陰刻または陽刻で形成できることは明らかである。
【００５０】
前述のように、排水誘導棒２２０の外周面に沿って排水案内部２２１が形成されることによって、後述する排水案内面２３０と隙間が発生して流体Ｌの流れがより迅速となり、迅速な流体Ｌの流れによって排水案内面２３０がより迅速に拡張されて流体Ｌの排水が迅速になる。
【００５１】
排水案内面２３０は、ボディー部２１０の下部の一側に結合されて排水誘導棒２２０を包むように構成され、流体Ｌの流れの可否によって密着または膨脹され、流体Ｌを流動させたり、悪臭の逆流を防止することができる。このような排水案内面２３０は、流体Ｌの流れの可否によって排水誘導棒２２０に密着されたり、膨脹されて流体Ｌを容易に排出し、流体Ｌの流れがない場合は、密着されて悪臭の逆流を防止できる装置であれば、如何なる装置を使っても構わない。
【００５２】
しかしながら、好ましくは図４及び図５に図示されるように、上部の一側は、排水誘導棒２２０を所定間隔離隔されて包むように柱状に備えられ、下部の一側は、柱状からなる上部の下端から次第に狭くなって、排水誘導棒２２０を基準にして相互に対向される一対の平面形状の部材からなる。この時、平面形状からなる下部の一側は、排水誘導棒２２０よりも広い面積を有し、排水誘導棒２２０よりも下部により長く形成されることが好ましい。また、一対の平面形状の部材は、相互に対向される方向に開かれるように独立的部材からなることができる。
【００５３】
このような排水案内面２３０は、ゴムなどのように所定の弾性を有する材質からなり、流体Ｌが流動する場合には流体Ｌの重量によって一対の平面形状の部材からなる下部の一側が開かれて流体Ｌが流動し、流体Ｌの流動がない場合には弾性によって相互に密着されて悪臭の逆流を防止する。
【００５４】
図８は、本発明の変形例による排水案内面の側面図である。図９は、図８のＡ−Ａ断面図である。前述の構成からなる排水案内面２３０には、図８及び図９に図示されるように、一側にエンボス処理された凸部２３１が形成されることができる。このような凸部２３１は、中空の半球形状からなる。このようなエンボス処理された凸部２３１を通じて流体Ｌの流れが発生する場合、排水案内面２３０をより迅速に拡張させて流体Ｌを迅速に排出することができる。
【００５５】
ハウジングは、排水案内面２３０を所定間隔離隔されて包むようにボディー部２１０の下部に結合される。このようなハウジングは、内部に排水案内面２３０が挿入され、流体Ｌが排出されるように上面及び下面が開口された中空の柱状からなる。このようなハウジングは、ボディー部２１０の下部に、嵌め合いまたはねじ山による回転結合方式などの多様な方式によって結合され、内部に挿入された排水案内面２３０が離脱することを防止する装置である。
【００５６】
本発明では、ハウジングの内部に排水案内面２３０が安着されて支持される構成を基準にして説明しているが、使用態様によっては排水案内面２３０がボディー部２１０に直接固定されるように備えられることができることは明らかである。すなわち、排水案内面２３０は、ハウジングがなくてもボディー部２１０に直接固定されるように結合可能である。このような場合、ハウジングは、備えられなくても構わない。
【００５７】
排水誘導部２００は、前述の構成の他、本出願人が２０１２年３月１３日付けで出願して登録を受けた韓国特許第１０-１１６６５５３号に記載された無水小便器４００の構成を適用することもできる。
【００５８】
カバー３００は、収容部１００の上部に設けられ、カバー３００の内部に収容された流体Ｌが外部に露出されることを防止する装置である。このようなカバー３００は、流体Ｌが収容部１００の内部に流入される流れを妨げないように、収容部１００の流入口と離隔されるように設けられたり、側壁面を貫く複数の流入孔３３０が形成されるように設けられることができる。
【００５９】
このように、カバー３００を収容部１００の流入口と離隔させるために、第１支持部３１０及び第２支持部３２０が設けられることができる。
【００６０】
第１支持部３１０は、収容部１００とカバー３００を離隔させられるようにカバー３００の下部に隔壁状に設けられる。このとき、第１支持部３１０は、収容部１００の縁部分に支持されてカバー３００を支持できるように、カバー３００の縁部分に設けられた方がよい。このような第１支持部３１０は、カバー３００の中心で放射状に複数設けられることができ、流体Ｌの流動に対する影響を最小化するとともに、カバー３００を安定的に支持できるように３個ないし４個の第１支持部３１０が等間隔に設けられた方がよい。
【００６１】
第２支持部３２０は、カバー３００と排水誘導部２００のボディー部２１０との間を繋ぐように設けられ、カバー３００が収容部１００と離隔されるように支持する装置である。このような第２支持部３２０は柱状からなることが好ましく、収容部１００の深さより相対的に長く形成されてカバー３００が収容部１００の流入口から所定間隔離隔されるように支持する。
【００６２】
このとき、第２支持部３２０はカバー３００及び排水誘導部２００のボディー部２１０と別途の部材で備えられ、ねじ結合または嵌め合いなどの方式によってカバー３００及び排水誘導部２００のボディー部２１０と結合されるようにすることができる。しかしながら、使用態様によっては、第２支持部３２０をカバー３００及び排水誘導部２００のうち少なくとも何れか一つと一体に形成することができる。すなわち、第２支持部３２０はカバー３００及び排水誘導部２００のうち少なくとも何れか一つと一体に鋳造したり、別の部材で製造した後、超音波溶接などの方法によって一体に結合させることができる。
【００６３】
このように、第２支持部３２０がカバー３００及び排水誘導部２００と一体に形成されれば、カバー３００を収容部１００から分離すると排水誘導部２００が共に分離される。このため、管理者は、排水誘導部２００の洗浄または取り替えが必要な場合、収容部１００の内部に手を入れず、カバー３００を分離する動作だけで排水誘導部２００が共に分離されるので、衛生的、且つ、容易に排水誘導部２００の洗浄及び取り替えなどが可能である。
【００６４】
前述した構成の第１支持部３１０及び第２支持部３２０は、両方設けられてもよいし、何れか一つが設けられてもよい。
【００６５】
図１０は、本発明の変形例によるカバーを適用した排水案内装置の縦方向断面図である。また、第１支持部３１０及び第２支持部３２０が設けられない場合は、図１０に図示されるように、カバー３００の側壁面または上面の一側に流体Ｌが流動できるように、側壁面または上面を貫く複数の流入孔３３０を形成することで、カバー３００が収容部１００の流入口と密着されても流体Ｌを容易に流動させることができる。
【００６６】
（排水案内装置の使用態様）
図１１は、本発明による排水案内装置の流体の流れを示す断面図である。前述した構成からなる排水案内装置１０の流体の流れは、図１１に図示される通りである。これをより詳細に説明すれば次の通りである。
【００６７】
一般的に排水管の内部の圧力は、大気圧と比べて相対的に高い圧力であるため、流体Ｌの流れがない場合は、排水管の内部の圧力によって排水案内面２３０は密着された状態で維持される。このように、排水案内面２３０が密着されているので、悪臭の逆流及び虫の流入などが防止される。
【００６８】
以後、小便Ｌなどの外部の流体Ｌが発生すると、流体Ｌは、カバー３００に形成された流入孔３３０またはカバー３００と収容部１００の流入口との間の離隔空間を通じて収容部１００の内部に流入される。
【００６９】
収容部１００の内部に流入された流体Ｌは、排水誘導部２００のボディー部２１０に形成された排水孔２１１を通じてボディー部２１０の下部へ流動する。このとき、ボディー部２１０の排水孔２１１を通じてボディー部２１０の下部へ流動する流体Ｌは、自由落下またはボディー部２１０の下部に突出するように形成される排水誘導棒２２０の外周面に沿って下方に流れることになる。このとき、排水誘導棒２２０には流体Ｌが迅速に流動できる排水案内部２２１が形成されているため、流体Ｌは、排水案内部２２１に沿って詰まることなく迅速に流動することができる。
【００７０】
このように収容部１００及び排水誘導部２００の内部に流体Ｌが流入されると同時に、収容部１００及び排水誘導部２００の内部の圧力が上昇し、流体Ｌの重量によって排水誘導部２００の排水案内面２３０、より詳細には、排水案内面２３０の下部の一側に設けられる一対の平面形状の部材が相互に離隔されるように拡張され、流体Ｌは排水管へ排出される。
【００７１】
このとき、排水案内部２２１には、流体Ｌの流入が発生する前に空気が充填されている状態で流体Ｌの流入によって空気が押し寄せられるようになり、排水案内部２２１をより迅速に拡張することができる。また、排水案内面２３０の一側に形成される凸部２３１にも、空気を溜めた状態で大気中の流体Ｌの流入によって空気が押し寄せられ、排水案内部２２１を迅速に拡張することができる。
【００７２】
このように、収容部１００の内部に流入される流体Ｌが完全に排出される間、排水案内面２３０は拡張された状態を維持し、収容部１００の内部に流入された流体Ｌの排出が完了すれば、排水管内部の圧力及び排水案内面２３０の弾性復元力によって排水案内面２３０は再び収縮して密着される。
【００７３】
図１２は、本発明による排水案内装置の使用態様を示す断面図である。前述した構成及び排水方式からなる排水案内装置１０は、図１２に図示されるように、小便器５００の排水口に設けられることができる。このように設けられた排水案内装置１０を図１に図示される従来の無水小便器４００と比べると次の通りである。
【００７４】
本発明による排水案内装置１０の収容部１００は、使用態様によって５００ｍｌないし１００ｍｌの流体Ｌが収容できる用量で製作することができる。
【００７５】
地下鉄の駅舎、学校、休憩所などのように多くの人が同時に使う小便器５００の場合は、短い時間内に大勢の人が小便器５００を使うことになる。一例として、平均小便量が３００ｍｌの四名が連続的に小便器５００を使う場合、小便器５００にはほぼ同時に１，２００ｍｌの小便Ｌが小便器５００に流入される。このとき、本発明の排水誘導部２００及び従来技術の無水小便器４００では持続的に小便Ｌを排水しているが、流入される小便Ｌの速度を充分に付いて行けない場合は、図１に図示されるように、小便器５００の内部に小便Ｌが満たされた状態で維持される。
【００７６】
一例として、最初の使用者が小便Ｌをし始めた後、最後の使用者が小便器５００の使用を完了する時点まで、従来技術の無水小便器４００が４００ｍｌの小便Ｌを排出すると仮定すれば、従来の小便器５００には、図１に図示されるように、８００mlの小便Ｌが小便器５００の内部で外部に露出された状態で維持され、視覚的に非衛生的な姿が露出される。
【００７７】
しかし、本発明は小便器５００より相対的に面積が狭い収容部１００の内部に小便Ｌが臨時にためられる。このとき、小便器５００より相対的に狭い収容部１００の内部に小便Ｌがためられるため、収容部１００の内部の単位面積当たり圧力が小便器５００より相対的に圧力が高い。このように収容部１００の内部の圧力、排水誘導棒２２０に設けられた排水案内部２２１及び排水案内面に形成された凸部２３１などを通じて、従来の無水小便器４００と比べて本発明の排水案内装置１０は、同一時間に対し大量の小便Ｌを外部へ排出することができる。
【００７８】
一例として、従来の無水小便器４００が４００ｍｌの小便Ｌを外部へ排出する間、本発明の排水案内装置１０は、収容部１００の内部の圧力を利用して４５０ｍｌないし５００ｍｌの小便Ｌを外部へ排出することができる。
【００７９】
このように、従来の技術と比べて迅速な速度で小便Ｌを排出するとしても、小便器５００の内部には７００ｍｌないし７５０ｍｌの小便Ｌが残留するようになる。しかしながら、このような小便Ｌは、小便器５００の外部に露出されず、収容部１００の内部に流入された状態で残留し、収容部１００はカバー３００で覆われているため、後の使用者は小便Ｌの残留可否を目で確認することができない。このように、後続使用者は残留する小便Ｌが視野に露出されないため、衛生的に感じることができる。
【００８０】
また、図１に図示されるように、従来の一般小便器５００または無水小便器４００のように内部に小便Ｌが残留している場合、後の使用者が使えば、残留する小便Ｌが外部へ飛び散って使用者に不快感を与える。しかしながら、本発明の排水案内装置１０は、残留する小便Ｌが収容部１００の内部に流入された状態でカバー３００で覆われているため、残留する小便Ｌが存在する状態で小便器５００を使用しても、残留する小便Ｌが小便器５００の外部へ飛び散るなどの問題が発生しないので、多くの使用者が連続的に使用しても衛生的に小便器５００を使用することが可能である。
【００８１】
以上で説明したように、本発明が属する技術分野の当業者は、本発明がその技術的思想や必須的特徴を変更せずとも、他の具体的な形態で実施できることを理解できるはずである。よって、前述した実施例は何れの面において例示的なものであり、限定的なものではないと理解しなければならない。本発明の範囲は詳細な説明よりは後述する特許請求の範囲によって示され、特許請求の範囲の意味及び範囲、そして等価概念から導出されるすべての変更または変形された形態が本発明の範囲に含まれるものとして解釈されなければならない。
【符号の説明】
【００８２】
１０：排水案内装置
１００：収容部
１１０：段差
２００：排水誘導部
２１０：ボディー部
２１１：排水孔
２１２：拡張部
２２０：排水誘導棒
２２１：排水案内部
２３０：排水案内面
２３１：凸部
３００：カバー
３１０：第１支持部
３２０：第２支持部
３３０：流入孔
４００：従来の無水小便器
５００：小便器
Ｌ：流体(小便)
【図１】
2018519447.tif 000003
【図２】
2018519447.tif 000004
【図３】
2018519447.tif 000005
【図４】
2018519447.tif 000006
【図５】
2018519447.tif 000007
【図６】
2018519447.tif 000008
【図７ａ】
2018519447.tif 000009
【図７ｂ】
2018519447.tif 000010
【図７ｃ】
2018519447.tif 000011
【図７ｄ】
2018519447.tif 000012
【図８】
2018519447.tif 000013
【図９】
2018519447.tif 000014
【図１０】
2018519447.tif 000015
【図１１】
2018519447.tif 000016
【図１２】
2018519447.tif 000017
【国際調査報告】
2018519447.tif 000018
2018519447.tif 000019
2018519447.tif 000020
2018519447.tif 000021